(57)【要約】【課題】スループットを向上すること。【解決手段】ＭＣＳ決定部３０２は、パケットデータの１回目の送信時に送信先装置のＣＱＩ信号に基づいてＭＣＳ選択を行う。物理チャネルビット数記憶部３０６は、ＭＣＳ選択の結果として決定された１回目の送信時のＨＳ−ＰＤＳＣＨのビット数を記憶する。物理チャネルビット数算出部３０７は、送信先装置からＮＡＣＫ信号を受信した場合に物理チャネルビット数記憶部３０６に記憶されたＨＳ−ＰＤＳＣＨのビット数に基づいて１回目の送信および１回目の再送で複数の符号化ビットの全てが送信されるために１回目の再送時に必要なＨＳ−ＰＤＳＣＨのビット数を算出して、ＭＣＳ決定部３０２に出力する。ＭＣＳ決定部３０２は、パケットデータの１回目の再送時に物理チャネルビット数算出部３０７からのＨＳ−ＰＤＳＣＨのビット数に基づいて再度ＭＣＳ選択を行う。【選択図】      図３
2004172981.tif 000002
【特許請求の範囲】
【請求項１】
パケットデータを符号化することにより生成される複数の符号化ビットの一部ごとを１回の送信で無線受信装置へ送信する送信手段と、
前記無線受信装置から送信される回線状態を示す回線状態報告値に基づいて１回目の送信時に前記パケットデータの物理チャネルのビット数を決定する物理チャネルビット数決定手段と、
前記１回目の送信後に前記無線受信装置から１回目の再送要求を受ける時に前記物理チャネルビット数決定手段によって決定される前記物理チャネルのビット数に基づいて前記１回目の送信および１回目の再送で前記複数の符号化ビットの全てが送信されるために１回目の再送時に必要な前記物理チャネルのビット数を計算する物理チャネルビット数計算手段と、
前記物理チャネルビット数計算手段によって計算される前記物理チャネルのビット数に基づいて前記１回目の再送時に前記物理チャネルビット数決定手段によって決定される前記物理チャネルのビット数を変更する物理チャネルビット数変更手段と、
を具備することを特徴とする無線送信装置。
【請求項２】
前記物理チャネルビット数変更手段は、
前記符号化ビットを拡散するための拡散コード数を変更することによって前記物理チャネルのビット数の変更を行うことを特徴とする請求項１記載の無線送信装置。
【請求項３】
前記物理チャネルビット数変更手段は、
前記符号化ビットを変調するための変調方式を変更することによって前記物理チャネルのビット数の変更を行うことを特徴とする請求項１記載の無線送信装置。
【請求項４】
前記物理チャネルビット数変更手段は、
前記符号化ビットを拡散するための拡散コード数および前記符号化ビットを変調するための変調方式を変更することによって前記物理チャネルのビット数の変更を行うことを特徴とする請求項１記載の無線送信装置。
【請求項５】
請求項１から請求項４のいずれかに記載の無線送信装置を具備することを特徴とする基地局装置。
【請求項６】
請求項１から請求項４のいずれかに記載の無線送信装置を具備することを特徴とする通信端末装置。
【請求項７】
パケットデータを符号化することにより生成される複数の符号化ビットの一部ごとを１回の送信で無線受信装置へ送信する送信手段を有する無線送信装置における無線送信方法において、
前記無線受信装置から送信される下り回線状態を示す回線状態報告値に基づいて１回目の送信時に前記パケットデータの物理チャネルのビット数を決定する物理チャネルビット数決定ステップと、
前記１回目の送信後に前記無線受信装置から１回目の再送要求を受ける時に前記物理チャネルビット数決定ステップにおいて決定される前記物理チャネルのビット数に基づいて前記１回目の送信および１回目の再送で前記複数の符号化ビットの全てが送信されるために１回目の再送時に必要な前記物理チャネルのビット数を計算する物理チャネルビット数計算ステップと、
前記物理チャネルビット数計算ステップにおいて計算される前記物理チャネルのビット数に基づいて前記１回目の再送時に前記物理チャネルビット数決定ステップにおいて決定される前記物理チャネルのビット数を変更する物理チャネルビット数変更ステップと、
を具備することを特徴とする無線送信方法。
【発明の詳細な説明】
【０００１】
【発明の属する技術分野】
本発明は、無線送信装置および無線送信方法に関する。
【０００２】
【従来の技術】
無線通信の分野では、複数の通信端末装置が高速大容量な下りチャネルを共有し、基地局装置から通信端末装置にパケットを伝送する下り高速パケット伝送方式が開発されている。下り高速パケット伝送方式では、伝送効率を高めるために、スケジューリング技術および適応変調技術が用いられている。
【０００３】
スケジューリング技術とは、基地局装置がタイムスロット毎に下り高速パケットの送信先となる通信端末装置（以下、「送信先装置」という）を設定し、送信先装置に送信するパケットを割り当てる技術である。また、適応変調技術とは、パケット送信する通信端末装置の伝搬路の状態に応じて適応的に変調方式あるいは誤り訂正符号化方式（ＭＣＳ：  Ｍｏｄｕｌａｔｉｏｎ  ａｎｄ  Ｃｏｄｉｎｇ  Ｓｃｈｅｍｅ）を決定する技術である。
【０００４】
また、高速パケット伝送を行う無線通信システムでは、データの受信性能の向上を図るためにＡＲＱ（Ａｕｔｏｍａｔｉｃ  Ｒｅｐｅａｔ  Ｒｅｑｕｅｓｔ）方式、特に、Ｈ−ＡＲＱ（Ｈｙｂｒｉｄ−Ａｕｔｏｍａｔｉｃ  Ｒｅｐｅａｔ  Ｒｅｑｕｅｓｔ）方式が用いられている。ＡＲＱ方式とは、受信側装置で誤りが検出されたデータ単位（フレーム）を送信側装置が再送する処理を自動的に行う技術であり、Ｈ−ＡＲＱ方式は、送信側装置が再送時に特定のビットのみを選択して受信側装置に送信し、受信側装置において再送信号と既受信信号とを合成する技術である。
【０００５】
以下、高速パケット伝送を行う無線通信システムの基地局装置および通信端末装置の動作について概説する。
【０００６】
基地局装置は、各通信端末装置から送信された下り回線状態の報告値に基づいて回線品質を予測し、最も回線品質が良い通信端末装置を送信先装置として、各タイムスロットにその送信先装置へのパケットを割り当てる。そして、基地局装置は、スケジューリング結果を示す情報およびスケジューリングにより定めた方式でパケットを誤り訂正符号化および変調して送信先装置に送信する。
【０００７】
各通信端末装置は、受信したスケジューリング結果を示す情報に基づいて、自局宛のパケットが割り当てられたタイムスロットにおいて復調を行い、ＣＲＣ検出等を行って、パケットデータを正しく復調できた場合にはこれを示すＡＣＫ信号を送信する。一方、各通信端末装置は、パケットデータを正しく復調できなかった場合にはこれを示すＮＡＣＫ信号を基地局装置に送信することによってパケットデータの再送を要求する。
【０００８】
基地局装置は、ＡＣＫ信号を受信すると新規データを送信し、ＮＡＣＫ信号を受信すると同一データを再送する。
【０００９】
このように、下り高速パケット伝送方式は、セクタ内に存在する全ての通信端末装置で１つのチャネルを共有して効率的にパケットを伝送するので、コードリソースを有効活用することができる。
【００１０】
ところで、Ｈ−ＡＲＱ方式には、１回目の送信時および再送時で全く同じパケットデータを送信するＣＣ（Ｃｈａｓｅ  Ｃｏｍｂｉｎｉｎｇ）方式ならびに１回目の送信時および再送時で異なるパケットデータを送信するＩＲ（Ｉｎｃｒｅｍｅｎｔａｌ  Ｒｅｄｕｎｄａｎｃｙ）方式が挙げられる。ＩＲ方式を用いる基地局装置の場合、１回目の送信に対してパンクチャリングパターンのみが変更されてパケットデータが再送される（たとえば非特許文献１参照）。
【００１１】
基地局装置は、全ての通信端末装置からの下り回線状態の報告値に基づいてスケジューリングを行い、１つまたは複数の通信端末装置を送信先装置として選択する。基地局装置は、スケジューリングによって選択された通信端末毎の下り回線情報の報告値に基づいて変調方式あるいは誤り訂正符号化方式の選択（ＭＣＳ選択）および送信電力の決定を行う。限られた拡散コード数および送信電力などのリソースを考慮してＭＣＳ選択および送信電力決定を行うことは、システムのスループットを向上させる上で非常に重要である。
【００１２】
ここで、ＩＲ方式を用いる従来の基地局装置の動作の一例について図１４を参照しながら説明する。
【００１３】
Ｎ（Ｎは２以上の整数）ビットの情報ビットから成るパケットデータを符号化することによってＮビットの情報ビット、ＮビットのパリティビットＡおよびＮビットのパリティビットＢから成る３Ｎビットの符号化ビットが生成される。そして、１回目の送信時に符号化ビットのうちＮビットがＱＰＳＫ変調され４コードにマッピングされ送信される。その後、送信先装置からＮＡＣＫ信号が得られた場合、１回目の送信時と同様に符号化ビットのうちＮビットがＱＰＳＫ変調され４コードにマッピングされ再送される。その際、１回目の送信時と同一の拡散コード数および変調方式が用いられてパンクチャリングパターンのみが変更される。再送（すなわち１回目の再送）後、パリティビットＡおよびパリティビットＢのそれぞれＮ／２ビットが未送信のまま残る。その後、送信先装置からＮＡＣＫ信号が再度得られた場合、２回目の再送として残りのＮビットの符号化ビットが再送される。
【００１４】
【非特許文献１】
Ｃｏｍｐａｒｉｓｏｎ  ｏｆ  Ｈｙｂｒｉｄ  ＡＲＱ  Ｐａｃｋｅｔ  Ｃｏｍｂｉｎｉｎｇ  Ａｌｇｏｒｉｔｈｍ  ｉｎ  Ｈｉｇｈ  Ｓｐｅｅｄ  Ｄｏｗｎｌｉｎｋ  Ｐａｃｋｅｔ  Ａｃｃｅｓｓ  ｉｎ  ａ  Ｍｕｌｔｉｐａｔｈ  Ｆａｄｉｎｇ  Ｃｈａｎｎｅｌ，  ＩＥＩＣＥ  ＴＲＡＮＳ．  ＦＵＮＤＡＭＥＮＴＡＬＳ，  ＶＯＬ．Ｅ８５−Ａ，  ＮＯ．７，  ＪＵＬＹ  ２００２，  １５５７−１５６８頁
【００１５】
【発明が解決しようとする課題】
しかしながら、従来の基地局装置において、１回目の送信時および再送時で異なるパンクチャリングパターンが用いられる一方で同一の拡散コード数および変調方式が用いられているため、用いられるパンクチャリングパターンに依って１回目の送信および１回目の再送で全ての符号化ビットを送信することができないから、スループットが良くないという問題があった。また、１回目の再送後に符号化ビットの一部が未送信である場合、２回目の再送を行うことによって全ての符号化ビットを送信することができるが、再送回数が増えてしまうためスループットが良くないという問題があった。
【００１６】
本発明は、かかる点に鑑みてなされたものであり、スループットを向上することができる無線送信装置および無線送信方法を提供することを目的とする。
【００１７】
【課題を解決するための手段】
本発明の無線送信装置は、パケットデータを符号化することにより生成される複数の符号化ビットの一部ごとを１回の送信で無線受信装置へ送信する送信手段と、前記無線受信装置から送信される回線状態を示す回線状態報告値に基づいて１回目の送信時に前記パケットデータの物理チャネルのビット数を決定する物理チャネルビット数決定手段と、前記１回目の送信後に前記無線受信装置から１回目の再送要求を受ける時に前記物理チャネルビット数決定手段によって決定される前記物理チャネルのビット数に基づいて前記１回目の送信および１回目の再送で前記複数の符号化ビットの全てが送信されるために１回目の再送時に必要な前記物理チャネルのビット数を計算する物理チャネルビット数計算手段と、前記物理チャネルビット数計算手段によって計算される前記物理チャネルのビット数に基づいて前記１回目の再送時に前記物理チャネルビット数決定手段によって決定される前記物理チャネルのビット数を変更する物理チャネルビット数変更手段と、を具備する構成を採る。
【００１８】
この構成によれば、１回目の送信時に決定される物理チャネルのビット数に基づいて１回目の再送時に必要な物理チャネルのビット数を計算して、計算された物理チャネルのビット数に基づいて１回目の再送時に物理チャネルのビット数を変更するため、１回目の送信および１回目の再送で複数の符号化ビットの全てを無線受信装置に送信することによってパケットデータの再送回数を低減することができるから、スループットを向上することができる。
【００１９】
本発明の無線送信装置は、上記構成において、前記物理チャネルビット数変更手段が、前記符号化ビットを拡散するための拡散コード数を変更することによって前記物理チャネルのビット数の変更を行う構成を採る。
【００２０】
この構成によれば、上記効果に加えて、符号化ビットを拡散するための拡散コード数を変更することによって物理チャネルのビット数の変更を行うため、１回目の送信および１回目の再送で複数の符号化ビットの全てを無線受信装置に送信することによってパケットデータの再送回数を低減することができるから、スループットを向上することができる。
【００２１】
本発明の無線送信装置は、上記構成において、前記物理チャネルビット数変更手段が、前記符号化ビットを変調するための変調方式を変更することによって前記物理チャネルのビット数の変更を行う構成を採る。
【００２２】
この構成によれば、上記効果に加えて、符号化ビットを変調するための変調方式を変更することによって物理チャネルのビット数の変更を行うため、１回目の送信および１回目の再送で複数の符号化ビットの全てを無線受信装置に送信することによってパケットデータの再送回数を低減することができるから、スループットを向上することができる。
【００２３】
本発明の無線送信装置は、上記構成において、前記物理チャネルビット数変更手段が、前記符号化ビットを拡散するための拡散コード数および前記符号化ビットを変調するための変調方式を変更することによって前記物理チャネルのビット数の変更を行う構成を採る。
【００２４】
この構成によれば、上記効果に加えて、符号化ビットを拡散するための拡散コード数および符号化ビットを変調するための変調方式を変更することによって物理チャネルのビット数の変更を行うため、１回目の送信および１回目の再送で複数の符号化ビットの全てを無線受信装置に送信することによってパケットデータの再送回数を低減することができるから、スループットを向上することができる。
【００２５】
本発明の基地局装置は、上記のいずれかに記載の無線送信装置を具備する構成を採る。
【００２６】
この構成によれば、上記のいずれかに記載の無線送信装置と同様の作用効果を、基地局装置において実現することができる。
【００２７】
本発明の通信端末装置は、上記のいずれかに記載の無線送信装置を具備する構成を採る。
【００２８】
この構成によれば、上記のいずれかに記載の無線送信装置と同様の作用効果を、通信端末装置において実現することができる。
【００２９】
本発明の無線送信方法は、パケットデータを符号化することにより生成される複数の符号化ビットの一部ごとを１回の送信で無線受信装置へ送信する送信手段を有する無線送信装置における無線送信方法であって、前記無線受信装置から送信される下り回線状態を示す回線状態報告値に基づいて１回目の送信時に前記パケットデータの物理チャネルのビット数を決定する物理チャネルビット数決定ステップと、前記１回目の送信後に前記無線受信装置から１回目の再送要求を受ける時に前記物理チャネルビット数決定ステップにおいて決定される前記物理チャネルのビット数に基づいて前記１回目の送信および１回目の再送で前記複数の符号化ビットの全てが送信されるために１回目の再送時に必要な前記物理チャネルのビット数を計算する物理チャネルビット数計算ステップと、前記物理チャネルビット数計算ステップにおいて計算される前記物理チャネルのビット数に基づいて前記１回目の再送時に前記物理チャネルビット数決定ステップにおいて決定される前記物理チャネルのビット数を変更する物理チャネルビット数変更ステップと、を具備するようにした。
【００３０】
この方法によれば、１回目の送信時に決定される物理チャネルのビット数に基づいて１回目の再送時に必要な物理チャネルのビット数を計算して、計算された物理チャネルのビット数に基づいて１回目の再送時に物理チャネルのビット数を変更するため、１回目の送信および１回目の再送で複数の符号化ビットの全てを無線受信装置に送信することによってパケットデータの再送回数を低減することができるから、スループットを向上することができる。
【００３１】
【発明の実施の形態】
本発明の骨子は、１回目の送信時に決定されるパケットデータの物理チャネルのビット数に基づいて１回目の送信および１回目の再送で全ての符号化ビットが送信されるように１回目の再送時にパケットデータの物理チャネルのビット数を変更することである。
【００３２】
以下、本発明の実施の形態について、図面を参照して詳細に説明する。以下全ての実施の形態において、基地局装置に本発明の無線送信装置を適用し、通信端末装置に前記無線送信装置と無線通信を行う無線受信装置を適用し、下り高速パケット伝送方式が前記基地局装置および前記通信端末装置を具備する移動通信システムによって実行される。以下の説明において、下り高速パケット伝送方式の例として、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）方式を用いることとする。ＨＳＤＰＡ方式では、ＨＳ−ＰＤＳＣＨ（Ｈｉｇｈ  Ｓｐｅｅｄ  −  Ｐｈｙｓｉｃａｌ  Ｄｏｗｎｌｉｎｋ  Ｓｈａｒｅｄ  Ｃｈａｎｎｅｌ）、ＨＳ−ＳＣＣＨ（Ｓｈａｒｅｄ  Ｃｏｎｔｒｏｌ  Ｃｈａｎｎｅｌ  ｏｆ  ＨＳ−ＰＤＳＣＨ）およびＡ−ＤＰＣＨ（Ａｓｓｏｃｉａｔｅｄ−Ｄｅｄｉｃａｔｅｄ  Ｐｈｙｓｉｃａｌ  Ｃｈａｎｎｅｌ  ｆｏｒ  ＨＳ−ＰＤＳＣＨ）等の複数のチャネルが用いられる。
【００３３】
ＨＳ−ＰＤＳＣＨは、パケットの伝送に使用される下り方向の共有物理チャネルである。ＨＳ−ＳＣＣＨは、下り方向の共有制御チャネルであり、リソース割り当てに関する情報（ＴＦＲＩ：Ｔｒａｎｓｐｏｒｔ−ｆｏｒｍａｔ  ａｎｄ  Ｒｅｓｏｕｒｃｅ  ｒｅｌａｔｅｄ  Ｉｎｆｏｒｍａｔｉｏｎ）およびＨ−ＡＲＱ制御に関する情報等が伝送される。
【００３４】
Ａ−ＤＰＣＨは、上り方向および下り方向の個別付随物理チャネルであり、そのチャネル構成およびハンドオーバ制御等はＤＰＣＨと変わらない。Ａ−ＤＰＣＨでは、パイロット信号およびＴＰＣコマンド等が伝送される。ＨＳ−ＤＰＣＣＨにより上り方向でＡＣＫ／ＮＡＣＫ信号およびＣＱＩ（Ｃｈａｎｎｅｌ  Ｑｕａｌｉｔｙ  Ｉｎｄｉｃａｔｏｒ）信号が伝達される。なお、ＣＱＩ信号は、通信端末装置において復調可能なパケットデータのコード数、変調方式および符号化率を示す信号であり、下り回線状態を報告する報告値の役割を果たす。
【００３５】
（実施の形態１）
図１は、本発明の実施の形態１に係る基地局装置の構成を示すブロック図である。
【００３６】
図１に示す基地局装置１００は、アンテナ１０１、共用器１０２、受信ＲＦ部１０３、復調部１０４、分離部１０５、ＳＩＲ測定部１０６、ＴＰＣコマンド作成部１０７、スケジューラ１５１、バッファ１５２、変調部１５３、送信電力制御部１５４、増幅部１５５、多重部１５６、変調部１５７、送信電力制御部１５８、増幅部１５９、送信電力制御部１６０、増幅部１６１、変調部１６２、送信電力制御部１６３、増幅部１６４および多重部１６５を具備している。
【００３７】
図１に示す基地局装置１００において、共用器１０２の入力端子は、アンテナ１０１および送信ＲＦ部１６６に接続されている。受信ＲＦ部１０３の入力端子は、共用器１０２に接続されている。復調部１０４の入力端子は、受信ＲＦ部１０３に接続されている。分離部１０５の入力端子は、復調部１０４に接続されている。ＳＩＲ測定部１０６の入力端子は、復調部１０４に接続されている。ＴＰＣコマンド生成部１０７の入力端子は、ＳＩＲ測定部１０６に接続されている。バッファ１５２の入力端子は、スケジューラ１５１に接続されている。変調部１５３の入力端子は、スケジューラ１５１およびバッファ１５２に接続されている。送信電力制御部１５４の入力端子は、スケジューラ１５１に接続されている。増幅部１５５の入力端子は、変調部１５３および送信電力制御部１５４に接続されている。変調部１５７の入力端子は、多重部１５６に接続されている。増幅部１５９の入力端子は、変調部１５７および送信電力制御部１５８に接続されている。送信電力制御部１６０の入力端子は、送信電力制御部１５８に接続されている。増幅部１６１の入力端子は、スケジューラ１５１および送信電力制御部１６０に接続されている。増幅部１６４の入力端子は、変調部１６２および送信電力制御部１６３に接続されている。多重部１６５の入力端子は、増幅部１５５、１５９、１６１、１６４に接続されている。送信ＲＦ部１６６の入力端子は、多重部１６５に接続されている。
【００３８】
以下、図１の基地局装置１００の各構成部分の作用について説明する。
【００３９】
共用器１０２は、アンテナ１０１に受信された信号を受信ＲＦ部１０３に出力する。また、共用器１０２は、送信ＲＦ部１６６から出力された信号をアンテナ１０１から無線送信する。
【００４０】
受信ＲＦ部１０３は、共用器１０２から出力された無線周波数の受信信号をベースバンドのディジタル信号に変換し、復調部１０４に出力する。
【００４１】
復調部１０４は、無線通信を行う通信端末装置の数だけ用意され、受信ベースバンド信号に対して逆拡散、ＲＡＫＥ合成、誤り訂正復号等の復調処理を行い、分離部１０５に出力する。
【００４２】
分離部１０５は、復調部１０４の出力信号をデータと制御信号とに分離する。分離部１０５にて分離された制御信号には、ＤＬ（Ｄｏｗｎ  Ｌｉｎｋ）用ＴＰＣコマンド、ＣＱＩ信号、ＡＣＫ／ＮＡＣＫ信号等が含まれる。ＣＱＩ信号およびＡＣＫ／ＮＡＣＫ信号はスケジューラ１５１に出力され、ＤＬ用ＴＰＣコマンドは送信電力制御部１５８に出力される。
【００４３】
ＳＩＲ測定部１０６は、無線通信を行う通信端末装置の数だけ用意され、復調の過程で測定される希望波レベルおよび干渉波レベルによって上り回線の受信ＳＩＲを測定し、ＳＩＲを示す信号をＴＰＣコマンド生成部１０７に出力する。
【００４４】
ＴＰＣコマンド生成部１０７は、無線通信を行う通信端末装置の数だけ用意され、上り回線の受信ＳＩＲと目標ＳＩＲとの大小関係により、上り回線の送信電力の増減を指示するＵＬ（Ｕｐ  Ｌｉｎｋ）用ＴＰＣコマンドを生成する。
【００４５】
本願発明の特徴部分であるスケジューラ１５１は、パケット伝送用制御信号、各通信端末装置からのＣＱＩ信号、ＡＣＫ／ＮＡＣＫ信号に基づいてパケットを送信する通信端末装置（以下、「送信先装置」という）を決定し、送信先装置および送信するパケットデータを示す情報をバッファ（Ｑｕｅｕｅ）１５２に出力する。また、スケジューラ１５１は、送信先装置のＣＱＩ信号に基づいて、パケットデータを構成する情報ビットを誤り訂正符号化するための誤り訂正符号化方式（パンクチャリングを含む）、誤り訂正符号化によって生成された符号化ビットを変調するための変調方式および拡散するための拡散コード数を決定し、変調部１５３に指示する。また、スケジューラ１５１は、送信先装置からのＡＣＫ／ＮＡＣＫ信号およびＣＱＩ信号に基づいてパケットデータの送信電力を決定し、送信電力を示す信号を送信電力制御部１５４に出力する。また、スケジューラ１５１は、ＨＳ−ＳＣＣＨによって送信先装置に送信する信号（以下、「ＨＳ−ＳＣＣＨ用信号」という）を増幅部１６１に出力する。ＨＳ−ＳＣＣＨ用信号には、パケットデータを送信するタイミング、パケットデータの符号化率および変調方式等を示す情報（ＴＦＲＩ）が含まれる。なお、スケジューラ１５１の内部構成については後述する。
【００４６】
バッファ１５２は、スケジューラ１５１に指示された送信先装置に対するパケットデータを変調部１５３に出力する。
【００４７】
変調部１５３は、スケジューラ１５１の指示に従ってパケットデータに対して誤り訂正符号化を行うことによって情報ビットおよびパリティビットから成る複数ビットの符号化ビットを生成する。そして、変調部１５３は、スケジューラ１５１の指示に従って所定のパンクチャリングパターンを用いて複数ビットの符号化ビットに対してパンクチャリングを行うことによって複数ビットの符号化ビットの一部を抽出する。さらに、変調部１５３は、スケジューラ１５１の指示に従って抽出された符号化ビットの一部に対して変調および拡散を行って増幅部１５５に出力する。
【００４８】
送信電力制御部１５４は、増幅部１５５の増幅量を制御することにより、変調部１５３の出力信号の送信電力をスケジューラ１５１で決定された値となるように制御する。増幅部１５５の出力信号は、ＨＳ−ＰＤＳＣＨで送信される信号であって、多重部１６５に出力される。
【００４９】
多重部１５６は、無線通信を行う通信端末装置の数だけ用意され、各通信端末装置に送信する個別データ（制御信号も含む）にパイロット信号およびＵＬ用ＴＰＣコマンドを多重して変調部１５７に出力する。
【００５０】
変調部１５７は、無線通信を行う通信端末装置の数だけ用意され、多重部１５６の出力信号に対して誤り訂正符号化、変調および拡散を行って増幅部１５９に出力する。
【００５１】
送信電力制御部１５８は、無線通信を行う通信端末装置の数だけ用意され、ＤＬ用ＴＰＣコマンドに従って増幅部１５９の増幅量を制御することにより、変調部１５７の出力信号の送信電力を制御する。また、送信電力制御部１５８は、送信電力値を示す信号を送信電力制御部１６０に出力する。増幅部１５９にて増幅された信号は、ＤＰＣＨ（Ａ−ＤＰＣＨを含む）で送信される信号であって、多重部１６５に出力される。
【００５２】
送信電力制御部１６０は、送信電力制御部１５８の送信電力値にオフセットをつけた値で増幅部１６１の増幅量を制御することにより、スケジューラ１５１から出力されたＨＳ−ＳＣＣＨ用信号の送信電力を制御する。増幅部１６１にて増幅された信号は、ＨＳ−ＳＣＣＨで送信される信号であって、多重部１６５に出力される。なお、送信電力制御部１６０は、再送状態等によりオフセット値を補正してもよい。
【００５３】
変調部１６２は、共通制御データに対して誤り訂正符号化、変調および拡散を行って増幅部１６４に出力する。送信電力制御部１６３は、増幅部１６４の増幅量を制御することにより、変調部１６２の出力信号の送信電力を制御する。増幅部１６４の出力信号は、ＣＰＩＣＨ等で送信される信号であって、多重部１６５に出力される。
【００５４】
多重部１６５は、増幅部１５５、増幅部１５９、増幅部１６１および増幅部１６４の各出力信号を多重し、送信ＲＦ部１６６に出力する。
【００５５】
送信ＲＦ部１６６は、多重部１６５から出力されたベースバンドのディジタル信号を無線周波数の信号に変換して共用器１０２に出力する。
【００５６】
ここで、共用器１０２、バッファ１５２、変調部１５３、送信電力制御部１５４、増幅部１５５、多重部１６５および送信ＲＦ部１６６の組み合わせは、パケットデータを符号化することにより生成される複数の符号化ビットの一部を１回の送信で送信先装置へ送信する送信部を構成する。
【００５７】
図２は、図１に示した基地局装置と無線通信を行う通信端末装置の構成を示すブロック図である。
【００５８】
図２に示す通信端末装置２００は、アンテナ２０１、共用器２０２、受信ＲＦ部２０３、バッファ２０４、復調部２０５、復調部２０６、誤り検出部２０７、復調部２０８、分離部２０９、ＳＩＲ測定部２１０、ＴＰＣコマンド生成部２１１、ＣＩＲ測定部２１２、ＣＱＩ生成部２１３、多重部２５１、変調部２５２、変調部２５３、多重部２５４、変調部２５５、多重部２５６、送信電力制御部２５７および送信ＲＦ部２５８を具備している。
【００５９】
図２に示す通信端末装置２００において、共用器２０２の入力端子は、アンテナ２０１および送信ＲＦ部２５８に接続されている。受信ＲＦ部２０３の入力端子は、共用器２０２に接続されている。バッファ２０４の入力端子は、受信ＲＦ部２０３に接続されている。復調部２０５の入力端子は、受信ＲＦ部２０３に接続されている。復調部２０６の入力端子は、バッファ２０４および復調部２０５に接続されている。誤り検出部２０７の入力端子は、復調部２０６に接続されている。復調部２０８の入力端子は、受信ＲＦ部２０３に接続されている。分離部２０９の入力端子は、復調部２０８に接続されている。ＳＩＲ測定部２１０の入力端子は、復調部２０８に接続されている。ＴＰＣコマンド生成部２１１の入力端子は、ＳＩＲ測定部２１０に接続されている。ＣＩＲ測定部２１２の入力端子は、受信ＲＦ部２０３に接続されている。ＣＱＩ生成部２１３の入力端子は、ＣＩＲ測定部２１２に接続されている。変調部２５２の入力端子は、多重部２５１に接続されている。変調部２５５の入力端子は、多重部２５４に接続されている。多重部２５６の入力端子は、変調部２５２、２５３、２５５に接続されている。送信ＲＦ部２５８の入力端子は、多重部２５６および送信電力制御部２５７に接続されている。
【００６０】
図２の通信端末装置２００は、基地局装置１００から個別データ、共通制御データ、パケットデータ、ＨＳ−ＳＣＣＨ用信号を受信する。以下、図２の通信端末装置２００の各構成部分の作用について説明する。
【００６１】
共用器２０２は、アンテナ２０１に受信された信号を受信ＲＦ部２０３に出力する。また、共用器２０２は、送信ＲＦ部２５８から出力された信号をアンテナ２０１から無線送信する。
【００６２】
受信ＲＦ部２０３は、共用器２０２から出力された無線周波数の受信信号をベースバンドのディジタル信号に変換し、ＨＳ−ＰＤＳＣＨの信号をバッファ２０４に出力し、ＨＳ−ＳＣＣＨ用信号を復調部２０５に出力し、ＤＰＣＨの信号を復調部２０８に出力し、共通制御チャネルの信号をＣＩＲ（Ｃａｒｒｉｅｒ  ｔｏ  Ｉｎｔｅｒｆｅｒｅｎｃｅ  Ｒａｔｉｏ）測定部２１２に出力する。
【００６３】
バッファ２０４は、ＨＳ−ＰＤＳＣＨの信号を一時的に保存して復調部２０６に出力する。
【００６４】
復調部２０５は、ＨＳ−ＳＣＣＨ用信号に対して逆拡散、ＲＡＫＥ合成、誤り訂正復号等の復調処理を行い、自局宛パケットデータの到来タイミング、当該パケットデータの符号化率および変調方式等、パケットデータの復調に必要な情報を取得して復調部２０６に出力する。
【００６５】
復調部２０６は、復調部２０５にて取得された情報に基づいてバッファに保存されているＨＳ−ＰＤＳＣＨの信号に対して逆拡散、ＲＡＫＥ合成、誤り訂正復号等の復調処理を行い、復調処理によって得られたパケットデータを誤り検出部２０７に出力する。
【００６６】
誤り検出部２０７は、復調部２０６から出力されたパケットデータに対して誤り検出を行い、誤りが検出されなかった場合には新規データの送信を要求するためのＡＣＫ信号を、誤りが検出された場合には同一データの再送を要求するためのＮＡＣＫ信号を多重部２５１に出力する。
【００６７】
復調部２０８は、ＤＰＣＨの信号に対して逆拡散、ＲＡＫＥ合成、誤り訂正復号等の復調処理を行い、分離部２０９に出力する。
【００６８】
分離部２０９は、復調部２０８の出力信号をデータと制御信号とに分離する。分離部２０９にて分離された制御信号には、ＵＬ用ＴＰＣコマンド等が含まれる。ＵＬ用ＴＰＣコマンドは送信電力制御部２５７に出力される。
【００６９】
ＳＩＲ測定部２１０は、復調の過程で測定される希望波レベルおよび干渉波レベルによって下り回線の受信ＳＩＲを測定し、測定した全ての受信ＳＩＲをＴＰＣコマンド生成部２１１に出力する。
【００７０】
ＴＰＣコマンド生成部２１１は、ＳＩＲ測定部２１０から出力された受信ＳＩＲと目標ＳＩＲとの大小関係によりＤＬ用ＴＰＣコマンドを生成し、多重部２５４に出力する。
【００７１】
ＣＩＲ測定部２１２は、基地局装置からの共通制御チャネルの信号を用いてＣＩＲを測定し、測定結果をＣＱＩ生成部２１３に出力する。ＣＱＩ生成部２１３は、基地局装置から送信された信号のＣＩＲに基づくＣＱＩ信号を生成して多重部２５１に出力する。
【００７２】
多重部２５１は、ＣＱＩ信号およびＡＣＫ／ＮＡＣＫ信号を多重して変調部２５２に出力する。変調部２５２は、多重部２５１の出力信号に対して誤り訂正符号化、変調および拡散を行って多重部２５６に出力する。
【００７３】
変調部２５３は、基地局装置１００に送信するデータに対して誤り訂正符号化、変調および拡散を行って多重部２５６に出力する。
【００７４】
多重部２５４は、ＤＬ用ＴＰＣコマンド、パイロット信号を多重して変調部２５５に出力する。変調部２５５は、多重部２５４の出力信号に対して誤り訂正符号化、変調および拡散を行って多重部２５６に出力する。
【００７５】
多重部２５６は、変調部２５２、変調部２５３および変調部２５５の各出力信号を多重し、送信ＲＦ部２５８に出力する。
【００７６】
送信電力制御部２５７は、ＵＬ用ＴＰＣコマンドに従って送信ＲＦ部２５８の増幅量を制御することにより、多重部２５６の出力信号の送信電力を制御する。なお、複数の基地局装置と接続している場合、送信電力制御部２５７は、全てのＵＬ用ＴＰＣコマンドが送信電力の上昇を指示する場合のみ送信電力を上昇させる制御を行う。
【００７７】
送信ＲＦ部２５８は、多重部２５６から出力されたベースバンドのディジタル信号を増幅し、無線周波数の信号に変換して共用器１０２に出力する。
【００７８】
次に、基地局装置１００のスケジューラ１５１の内部構成について図３を用いて説明する。
【００７９】
スケジューラ１５１は、送信先決定部３０１、ＭＣＳ決定部３０２、ＣＱＩ補正部３０３、送信電力決定部３０４、ＨＳ−ＳＣＣＨ用信号生成部３０５、物理チャネルビット数記憶部３０６および物理チャネルビット数算出部３０７を具備している。
【００８０】
図３に示すスケジューラ１５１において、ＭＣＳ決定部３０２の入力端子は、送信先決定部３０１、ＣＱＩ補正部３０３および物理チャネルビット数算出部３０７に接続されている。ＣＱＩ補正部３０３の入力端子は、送信先決定部３０１および送信電力決定部３０４に接続されている。ＨＳ−ＳＣＣＨ用信号生成部３０５の入力端子は、送信先決定部３０１およびＭＣＳ決定部３０２に接続されている。物理チャネルビット数記憶部３０６の入力端子は、ＭＣＳ決定部３０２に接続されている。物理チャネルビット数算出部３０７の入力端子は、物理チャネルビット数記憶部３０６に接続されている。
【００８１】
送信先決定部３０１は、パケット伝送用制御信号よりパケットを送信する候補となる各通信端末装置を選択し、選択した各通信端末装置からのＣＱＩ信号に基づいて送信先装置を決定する。たとえば、送信先決定部３０１は、ＣＱＩ信号に基づいて受信品質が最も良い通信端末装置を送信先装置として決定する。そして、送信先決定部３０１は、送信先装置を示す情報をバッファ１５２、ＭＣＳ決定部３０２、ＣＱＩ補正部３０３およびＨＳ−ＳＣＣＨ用信号生成部３０５に出力する。また、送信先決定部３０１は、ＡＣＫ信号を入力した場合には新しいデータを送信するようにバッファ１５２に指示する。一方、送信先決定部３０１は、ＮＡＣＫ信号を入力した場合には前回送信したデータを再送するようにバッファ１５２に指示すると共に再度ＭＣＳ選択（変調方式、誤り訂正符号化方式および拡散コード数の決定）を行うようにＭＣＳ決定部３０２に指示する。
【００８２】
ＭＣＳ決定部３０２は、パケットデータの１回目の送信時にＣＱＩ補正部３０３からのＣＱＩ信号に基づいてＭＣＳ選択を行い、変調部１５３に指示すると共にＨＳ−ＳＣＣＨ用信号生成部３０５および物理チャネルビット数記憶部３０６に出力する。また、ＭＣＳ決定部３０２は、パケットデータの再送時に物理チャネルビット数算出部３０７からのＨＳ−ＰＤＳＣＨのビット数に基づいて再度ＭＣＳ選択を行い、変調部１５３に指示すると共にＨＳ−ＳＣＣＨ用信号生成部３０５および物理チャネルビット数記憶部３０６に出力する。パケットデータの再送時のＭＣＳ選択において、ＭＣＳ決定部３０２は、１回目の送信時に決定された変調方式、誤り訂正符号化方式（パンクチャリングを含む）および拡散コード数のうち拡散コード数を変更する。ここで、ＭＣＳ決定部３０２によってＭＣＳ選択が行われる時に、送信または再送されるパケットデータのＨＳ−ＰＤＳＣＨのビット数が設定される。したがって、ＭＣＳ決定部３０２は、送信先装置から送信されるＣＱＩ信号に基づいてパケットデータの１回目の送信時にＨＳ−ＰＤＳＣＨのビット数を決定する物理チャネルビット数決定部としての動作を実行し、かつ、物理チャネルビット数算出部３０７からのＨＳ−ＰＤＳＣＨのビット数に基づいてパケットデータの再送時にＨＳ−ＰＤＳＣＨのビット数を変更する物理チャネルビット数変更部としての動作を実行する。
【００８３】
ＣＱＩ補正部３０３は、送信電力決定部３０４から出力された送信電力を示す信号に基づいてＣＱＩ信号を補正して、補正されたＣＱＩ信号をＭＣＳ決定部３０２に出力する。また、ＣＱＩ補正部３０３は、送信電力決定部３０４から出力された送信電力を示す信号に基づいて補正の必要がないと判断した場合に、ＣＱＩ信号を補正せずにＭＣＳ決定部３０２に出力する。
【００８４】
送信電力決定部３０４は、送信先装置からＡＣＫ信号またはＮＡＣＫ信号を受信した場合に基地局装置１００の送信電力リソースに基づいて送信電力を決定する。そして、送信電力決定部３０４は、決定した送信電力を示す信号を送信電力制御部１５４およびＣＱＩ補正部３０３に出力する。
【００８５】
ＨＳ−ＳＣＣＨ用信号生成部３０５は、送信先装置用のＨＳ−ＳＣＣＨ用信号を生成し、増幅部１６１に出力する。
【００８６】
物理チャネルビット数記憶部３０６は、ＭＣＳ決定部３０２によるＭＣＳ選択の結果として決定された１回目の送信時のＨＳ−ＰＤＳＣＨのビット数を一時的に記憶する。
【００８７】
物理チャネルビット数算出部３０７は、送信先装置からＮＡＣＫ信号を受信した場合に物理チャネルビット数記憶部３０６に記憶されたＨＳ−ＰＤＳＣＨのビット数を読み出して、読み出されたＨＳ−ＰＤＳＣＨのビット数に基づいて、１回目の送信および１回目の再送を含む２回の送信で複数ビットの符号化ビットの全てが送信されるために１回目の再送時に必要なＨＳ−ＰＤＳＣＨのビット数を算出して、ＭＣＳ決定部３０２に出力する。より具体的には、物理チャネルビット数算出部３０７は、符号化ビットのビット数から１回目の送信時のＨＳ−ＰＤＳＣＨのビット数を減算することによって１回目の再送時のＨＳ−ＰＤＳＣＨのビット数を算出する。
【００８８】
上述の物理チャネルビット数記憶部３０６および物理チャネルビット数算出部３０７の組み合わせは、１回目の送信時のＨＳ−ＰＤＳＣＨのビット数に基づいて１回目の送信および１回目の再送で複数ビットの符号化ビットの全てが送信されるために１回目の再送時に必要なＨＳ−ＰＤＳＣＨのビット数を計算する物理チャネルビット数計算部を構成する。前記物理チャネルビット数計算部の構成は、これに限定されない。たとえば、前記物理チャネルビット数計算部は、ＭＣＳ決定部３０２によるＭＣＳ選択の結果としてＨＳ−ＰＤＳＣＨのビット数と同様に決定されるパケットデータの符号化率に基づいて１回目の送信時のＨＳ−ＰＤＳＣＨのビット数を算出して、算出された１回目の送信時のＨＳ−ＰＤＳＣＨのビット数に基づいて１回目の再送時に必要なＨＳ−ＰＤＳＣＨのビット数を算出する構成であっても良い。
【００８９】
また、上述の物理チャネルビット数計算部は、ＮＡＣＫ信号を受信した時に１回目の再送時に必要なＨＳ−ＰＤＳＣＨのビット数を算出しているが、この構成に限定されない。たとえば、前記物理チャネルビット数計算部は、１回目の送信と同時に１回目の再送時に必要なＨＳ−ＰＤＳＣＨのビット数を算出して記憶しておき、ＮＡＣＫ信号を受信した時に１回目の再送時に必要なＨＳ−ＰＤＳＣＨのビット数をＭＣＳ決定部３０２に出力する構成であっても良い。また、もう１つの変更例として、前記物理チャネルビット数計算部は、１回目の送信と同時に１回目の再送時に必要なＨＳ−ＰＤＳＣＨのビット数を算出してＭＣＳ決定部３０２に出力する構成であっても良い。この場合、ＭＣＳ決定部３０２は、前記物理チャネルビット数計算部から得られたＨＳ−ＰＤＳＣＨのビット数を一時的に記憶する構成を有する。
【００９０】
次いで、上記構成を有する基地局装置１００の動作について図４を用いて説明する。
【００９１】
ＭＣＳ決定部３０２は、１回目の送信時にＣＱＩ信号に基づいて誤り訂正符号化方式（パンクチャリングを含む）、変調方式および拡散コード数を決定する。本実施の形態では、ＭＣＳ決定部３０２は、たとえばＮ（Ｎは自然数）ビットの符号化ビットをＱＰＳＫ変調してコード０からコード３を含む４コードにマッピングすることを決定して、変調部１５３に指示する。すなわち、１回目の送信時のＨＳ−ＰＤＳＣＨのビット数は、Ｎビットに決定される。
【００９２】
そして、物理チャネルビット数記憶部３０６は、１回目の送信時のＨＳ−ＰＤＳＣＨのビット数Ｎを一時的に記憶する。
【００９３】
変調部１５３は、Ｎビットの情報ビットから成るパケットデータを誤り訂正符号化することによって、Ｎビットの情報ビット、ＮビットのパリティビットＡおよびＮビットのパリティビットＢから成る３Ｎビットの符号化ビットを生成する。
【００９４】
変調部１５３は、ＭＣＳ決定部３０２からの指示に従って、３Ｎビットの符号化ビットの一部としてＮビットを抽出してＮビットの符号化ビットをＱＰＳＫ変調してコード０からコード３を含む４コードにマッピングする。そして、マッピングされたＮビットの符号化ビットが１回目の送信時に送信される。
【００９５】
そして、１回目の送信後に送信先装置から受信された信号がＮＡＣＫ信号である場合（すなわち送信先装置から１回目の再送要求を受けた場合）、物理チャネルビット数算出部３０７は、物理チャネルビット数記憶部３０６に記憶されたビット数Ｎに基づいて１回目の送信および１回目の再送で３Ｎビットの符号化ビットの全てが送信されるために１回目の再送時に必要なＨＳ−ＰＤＳＣＨのビット数を算出する。ここでは、１回目の再送時に必要なＨＳ−ＰＤＳＣＨのビット数は、３Ｎ−Ｎ＝２Ｎである。そして、物理チャネルビット数算出部３０７は、算出されたビット数２ＮをＭＣＳ決定部３０２に出力する。
【００９６】
ＭＣＳ決定部３０２は、物理チャネルビット数算出部３０７から出力されたビット数２Ｎに基づいて、２Ｎビットの符号化ビットをＱＰＳＫ変調してコード０からコード７を含む８コードにマッピングすることを決定して、変調部１５３に指示する。すなわち、１回目の再送時のＨＳ−ＰＤＳＣＨのビット数は、２Ｎビットに変更される。
【００９７】
変調部１５３は、ＭＣＳ決定部３０２からの指示に従って、３Ｎビットの符号化ビットのうち１回目の送信時に送信されなかった残りの２Ｎビットを抽出して２Ｎビットの符号化ビットをＱＰＳＫ変調してコード０からコード７を含む８コードにマッピングする。そして、１回目の再送時に、マッピングされた２Ｎビットの符号化ビットが再送される。このようにして１回目の送信および１回目の再送を含む２回の送信で３Ｎビットの符号化ビットの全てを送信先装置に送信することができる。
【００９８】
なお、実施の形態１において、変調部１５３はターボ符号化を行うことによってパケットデータを符号化する構成を有する。が、変調部１５３の構成はこれに限定されない。たとえば、変調部１５３は、ターボ符号化を行う代わりに畳み込み符号化を行うことによってパケットデータを符号化する構成を有しても良い。
【００９９】
このように、実施の形態１によれば、１回目の送信時に決定されるＨＳ−ＰＤＳＣＨのビット数に基づいて１回目の再送時に必要なＨＳ−ＰＤＳＣＨのビット数を計算して、計算されたＨＳ−ＰＤＳＣＨのビット数に基づいて拡散コード数を変更することによって１回目の再送時にＨＳ−ＰＤＳＣＨのビット数を変更するため、１回目の送信および１回目の再送で複数の符号化ビットの全てを送信先装置に送信することによってパケットデータの再送回数を低減することができるから、スループットを向上することができる。
【０１００】
なお、実施の形態１において、本発明の無線送信装置を基地局装置１００に適用し、かつ、無線受信装置を通信端末装置２００に適用することによって下り回線のパケット伝送において上記の作用効果を得ているが、本発明の無線送信装置を通信端末装置２００に適用し、かつ、無線受信装置を基地局装置１００に適用することによって上り回線のパケット伝送においても上記と同様の作用効果を得ることができる。
【０１０１】
また、実施の形態１において、前記物理チャネルビット数計算部は、基地局装置１００に具備されているが、送信先装置が前記物理チャネルビット数計算部を具備する場合も同様の作用効果を得ることができる。
【０１０２】
（実施の形態２）
図５は、本発明の実施の形態２に係る基地局装置の構成を示すブロック図である。なお、実施の形態２に係る基地局装置は、実施の形態１に係る基地局装置と同様の基本的構成を有しており、同一の構成要素には同一の参照符号を付し、その説明を省略する。図５に示す基地局装置５００は、図１に示す基地局装置１００におけるスケジューラ１５１の代わりにスケジューラ５０１を具備して成るものである。基地局装置５００と無線通信を行う通信端末装置の構成は、図２に示すとおりである。
【０１０３】
スケジューラ５０１は、パケット伝送用制御信号、各通信端末装置からのＣＱＩ信号、ＡＣＫ／ＮＡＣＫ信号に基づいてパケットを送信する送信先装置を決定し、送信先装置および送信するパケットデータを示す情報をバッファ（Ｑｕｅｕｅ）１５２に出力する。また、スケジューラ５０１は、送信先装置のＣＱＩ信号に基づいて変調方式、誤り訂正符号化方式（パンクチャリングを含む）および拡散コード数を決定し、変調部１５３に指示する。また、スケジューラ５０１は、送信先装置からのＡＣＫ／ＮＡＣＫ信号およびＣＱＩ信号に基づいてパケットデータの送信電力を決定し、送信電力を示す信号を送信電力制御部１５４に出力する。また、スケジューラ５０１は、ＨＳ−ＳＣＣＨによって送信先装置に送信するＨＳ−ＳＣＣＨ用信号を増幅部１６１に出力する。ＨＳ−ＳＣＣＨ用信号には、パケットデータを送信するタイミング、パケットデータの符号化率および変調方式等を示す情報（ＴＦＲＩ）が含まれる。
【０１０４】
スケジューラ５０１の内部構成は、図６に示すとおりである。なお、図６に示すスケジューラ５０１は、図３に示すスケジューラ１５１と同様の基本的構成を有しており、同一の構成要素には同一の参照符号を付し、その説明を省略する。スケジューラ５０１は、スケジューラ１５１におけるＭＣＳ決定部３０２の代わりにＭＣＳ決定部６０１を具備して成るものである。
【０１０５】
ＭＣＳ決定部６０１は、パケットデータの１回目の送信時にＣＱＩ補正部３０３からのＣＱＩ信号に基づいてＭＣＳ選択を行い、変調部１５３に指示すると共にＨＳ−ＳＣＣＨ用信号生成部３０５および物理チャネルビット数記憶部３０６に出力する。また、ＭＣＳ決定部６０１は、パケットデータの再送時に物理チャネルビット数算出部３０７からのＨＳ−ＰＤＳＣＨのビット数に基づいて再度ＭＣＳ選択を行い、変調部１５３に指示すると共にＨＳ−ＳＣＣＨ用信号生成部３０５および物理チャネルビット数記憶部３０６に出力する。パケットデータの再送時のＭＣＳ選択において、ＭＣＳ決定部６０１は、１回目の送信時に決定された変調方式、誤り訂正符号化方式（パンクチャリングを含む）および拡散コード数のうち変調方式を変更する。ここで、ＭＣＳ決定部６０１によってＭＣＳ選択が行われる時に、送信または再送されるパケットデータのＨＳ−ＰＤＳＣＨのビット数が設定される。したがって、ＭＣＳ決定部６０１は、送信先装置から送信されるＣＱＩ信号に基づいてパケットデータの１回目の送信時にＨＳ−ＰＤＳＣＨのビット数を決定する物理チャネルビット数決定部としての動作を実行し、かつ、物理チャネルビット数算出部３０７からのＨＳ−ＰＤＳＣＨのビット数に基づいてパケットデータの再送時にＨＳ−ＰＤＳＣＨのビット数を変更する物理チャネルビット数変更部としての動作を実行する。
【０１０６】
次いで、上記構成を有する基地局装置５００の動作について図７を用いて説明する。
【０１０７】
ＭＣＳ決定部６０１は、１回目の送信時にＣＱＩ信号に基づいて誤り訂正符号化方式（パンクチャリングを含む）、変調方式および拡散コード数を決定する。本実施の形態では、ＭＣＳ決定部６０１は、たとえばＮビットの符号化ビットをＱＰＳＫ変調してコード０からコード３を含む４コードにマッピングすることを決定して、変調部１５３に指示する。すなわち、１回目の送信時のＨＳ−ＰＤＳＣＨのビット数は、Ｎビットに決定される。
【０１０８】
そして、物理チャネルビット数記憶部３０６は、１回目の送信時のＨＳ−ＰＤＳＣＨのビット数Ｎを一時的に記憶する。
【０１０９】
変調部１５３は、ＭＣＳ決定部６０１からの指示に従って、３Ｎビットの符号化ビットの一部としてＮビットを抽出してＮビットの符号化ビットをＱＰＳＫ変調してコード０からコード３を含む４コードにマッピングする。そして、マッピングされたＮビットの符号化ビットが１回目の送信時に送信される。
【０１１０】
そして、１回目の送信後に送信先装置から受信された信号がＮＡＣＫ信号である場合（すなわち送信先装置から１回目の再送要求を受けた場合）、物理チャネルビット数算出部３０７は、物理チャネルビット数記憶部３０６に記憶されたビット数Ｎに基づいて１回目の送信および１回目の再送で３Ｎビットの符号化ビットの全てが送信されるために再送時に必要なＨＳ−ＰＤＳＣＨのビット数を算出する。ここでは、１回目の再送時に必要なＨＳ−ＰＤＳＣＨのビット数は、３Ｎ−Ｎ＝２Ｎである。そして、物理チャネルビット数算出部３０７は、算出されたビット数２ＮをＭＣＳ決定部６０１に出力する。
【０１１１】
ＭＣＳ決定部６０１は、物理チャネルビット数算出部３０７から出力されたビット数２Ｎに基づいて、２Ｎビットの符号化ビットを１６ＱＡＭ変調して４コードにマッピングすることを決定して、変調部１５３に指示する。すなわち、１回目の再送時のＨＳ−ＰＤＳＣＨのビット数は、２Ｎビットに変更される。
【０１１２】
変調部１５３は、ＭＣＳ決定部６０１からの指示に従って、３Ｎビットの符号化ビットのうち１回目の送信時に送信されなかった残りの２Ｎビットを抽出して２Ｎビットの符号化ビットを１６ＱＡＭ変調してコード０からコード３を含む４コードにマッピングする。そして、１回目の再送時に、マッピングされた２Ｎビットの符号化ビットが送信される。このようにして１回目の送信および１回目の再送を含む２回の送信で３Ｎビットの符号化ビットの全てを送信先装置に送信することができる。
【０１１３】
なお、実施の形態２において、変調部１５３はターボ符号化を行うことによってパケットデータを符号化する構成を有する。が、変調部１５３の構成はこれに限定されない。たとえば、変調部１５３は、ターボ符号化を行う代わりに畳み込み符号化を行うことによってパケットデータを符号化する構成を有しても良い。
【０１１４】
このように、実施の形態２によれば、１回目の送信時に決定されるＨＳ−ＰＤＳＣＨのビット数に基づいて１回目の再送時に必要なＨＳ−ＰＤＳＣＨのビット数を計算して、計算されたＨＳ−ＰＤＳＣＨのビット数に基づいて変調方式を変更することによって１回目の再送時にＨＳ−ＰＤＳＣＨのビット数を変更するため、１回目の送信および１回目の再送で複数の符号化ビットの全てを送信先装置に送信することによってパケットデータの再送回数を低減することができるから、スループットを向上することができる。
【０１１５】
なお、実施の形態２において、本発明の無線送信装置を基地局装置５００に適用し、かつ、無線受信装置を通信端末装置２００に適用することによって下り回線のパケット伝送において上記の作用効果を得ているが、本発明の無線送信装置を通信端末装置２００に適用し、かつ、無線受信装置を基地局装置５００に適用することによって上り回線のパケット伝送においても上記と同様の作用効果を得ることができる。
【０１１６】
また、実施の形態２において、前記物理チャネルビット数計算部は、基地局装置５００に具備されているが、送信先装置が前記物理チャネルビット数計算部を具備する場合も同様の作用効果を得ることができる。
【０１１７】
（実施の形態３）
図８は、本発明の実施の形態３に係る基地局装置の構成を示すブロック図である。なお、実施の形態３に係る基地局装置は、実施の形態１に係る基地局装置と同様の基本的構成を有しており、同一の構成要素には同一の参照符号を付し、その説明を省略する。図８に示す基地局装置８００は、図１に示す基地局装置１００におけるスケジューラ１５１の代わりにスケジューラ８０１を具備して成るものである。基地局装置８００と無線通信を行う通信端末装置の構成は、図２に示すとおりである。
【０１１８】
スケジューラ８０１は、パケット伝送用制御信号、各通信端末装置からのＣＱＩ信号、ＡＣＫ／ＮＡＣＫ信号に基づいてパケットを送信する送信先装置を決定し、送信先装置および送信するパケットデータを示す情報をバッファ（Ｑｕｅｕｅ）１５２に出力する。また、スケジューラ８０１は、送信先装置のＣＱＩ信号に基づいて変調方式、誤り訂正符号化方式（パンクチャリングを含む）および拡散コード数を決定し、変調部１５３に指示する。また、スケジューラ８０１は、送信先装置からのＡＣＫ／ＮＡＣＫ信号およびＣＱＩ信号に基づいてパケットデータの送信電力を決定し、送信電力を示す信号を送信電力制御部１５４に出力する。また、スケジューラ８０１は、ＨＳ−ＳＣＣＨによって送信先装置に送信するＨＳ−ＳＣＣＨ用信号を増幅部１６１に出力する。ＨＳ−ＳＣＣＨ用信号には、パケットデータを送信するタイミング、パケットデータの符号化率および変調方式等を示す情報（ＴＦＲＩ）が含まれる。
【０１１９】
スケジューラ８０１の内部構成は、図９に示すとおりである。なお、図９に示すスケジューラ８０１は、図３に示すスケジューラ１５１と同様の基本的構成を有しており、同一の構成要素には同一の参照符号を付し、その説明を省略する。スケジューラ８０１は、スケジューラ１５１におけるＭＣＳ決定部３０２の代わりにＭＣＳ決定部９０１を具備して成るものである。
【０１２０】
ＭＣＳ決定部９０１は、パケットデータの１回目の送信時にＣＱＩ補正部３０３からのＣＱＩ信号に基づいてＭＣＳ選択を行い、変調部１５３に指示すると共にＨＳ−ＳＣＣＨ用信号生成部３０５および物理チャネルビット数記憶部３０６に出力する。また、ＭＣＳ決定部９０１は、パケットデータの再送時に物理チャネルビット数算出部３０７からのＨＳ−ＰＤＳＣＨのビット数に基づいて再度ＭＣＳ選択を行い、変調部１５３に指示すると共にＨＳ−ＳＣＣＨ用信号生成部３０５および物理チャネルビット数記憶部３０６に出力する。パケットデータの再送時のＭＣＳ選択において、ＭＣＳ決定部９０１は、１回目の送信時に決定された変調方式、誤り訂正符号化方式（パンクチャリングを含む）および拡散コード数のうち変調方式および拡散コード数を変更する。ここで、ＭＣＳ決定部９０１によってＭＣＳ選択が行われる時に、送信または再送されるパケットデータのＨＳ−ＰＤＳＣＨのビット数が設定される。したがって、ＭＣＳ決定部９０１は、送信先装置から送信されるＣＱＩ信号に基づいてパケットデータの１回目の送信時にＨＳ−ＰＤＳＣＨのビット数を決定する物理チャネルビット数決定部としての動作を実行し、かつ、物理チャネルビット数算出部３０７からのＨＳ−ＰＤＳＣＨのビット数に基づいてパケットデータの再送時にＨＳ−ＰＤＳＣＨのビット数を変更する物理チャネルビット数変更部としての動作を実行する。
【０１２１】
次いで、上記構成を有する基地局装置８００の動作について図１０を用いて説明する。
【０１２２】
ＭＣＳ決定部９０１は、１回目の送信時にＣＱＩ信号に基づいて誤り訂正符号化方式（パンクチャリングを含む）、変調方式および拡散コード数を決定する。本実施の形態では、ＭＣＳ決定部９０１は、たとえばＮビットの符号化ビットをＱＰＳＫ変調してコード０からコード３を含む４コードにマッピングすることを決定して、変調部１５３に指示する。すなわち、１回目の送信時のＨＳ−ＰＤＳＣＨのビット数は、Ｎビットに決定される。
【０１２３】
そして、物理チャネルビット数記憶部３０６は、１回目の送信時のＨＳ−ＰＤＳＣＨのビット数Ｎを一時的に記憶する。
【０１２４】
変調部１５３は、ＭＣＳ決定部９０１からの指示に従って、３Ｎビットの符号化ビットの一部としてＮビットを抽出してＮビットの符号化ビットをＱＰＳＫ変調してコード０からコード３を含む４コードにマッピングする。そして、マッピングされたＮビットの符号化ビットが１回目の送信時に送信される。
【０１２５】
そして、１回目の送信後に送信先装置から受信された信号がＮＡＣＫ信号である場合（すなわち送信先装置から１回目の再送要求を受けた場合）、物理チャネルビット数算出部３０７は、物理チャネルビット数記憶部３０６に記憶されたビット数Ｎに基づいて１回目の送信および１回目の再送で３Ｎビットの符号化ビットの全てが送信されるために１回目の再送時に必要なＨＳ−ＰＤＳＣＨのビット数を算出する。ここでは、１回目の再送時に必要なＨＳ−ＰＤＳＣＨのビット数は、３Ｎ−Ｎ＝２Ｎである。そして、物理チャネルビット数算出部３０７は、算出されたビット数２ＮをＭＣＳ決定部９０１に出力する。
【０１２６】
ＭＣＳ決定部９０１は、物理チャネルビット数算出部３０７から出力されたビット数２Ｎに基づいて、２Ｎビットの符号化ビットのうちＮビットをＱＰＳＫ変調してコード０からコード３を含む４コードにマッピングして、その他のＮビットを１６ＱＡＭ変調してコード４およびコード５を含む２コードにマッピングすることを決定して、変調部１５３に指示する。すなわち、１回目の再送時のＨＳ−ＰＤＳＣＨのビット数は、２Ｎビットに変更される。
【０１２７】
変調部１５３は、ＭＣＳ決定部９０１からの指示に従って、３Ｎビットの符号化ビットのうち１回目の送信時に送信されなかった残りの２Ｎビットを抽出して、２Ｎビットの符号化ビットのうちＮビットをＱＰＳＫ変調してコード０からコード３を含む４コードにマッピングして、その他のＮビットを１６ＱＡＭ変調してコード４およびコード５を含む２コードにマッピングする。そして、１回目の再送時に、マッピングされた２Ｎビットの符号化ビットが送信される。このようにして１回目の送信および１回目の再送を含む２回の送信で３Ｎビットの符号化ビットの全てを送信先装置に送信することができる。
【０１２８】
なお、実施の形態３において、変調部１５３はターボ符号化を行うことによってパケットデータを符号化する構成を有する。が、変調部１５３の構成はこれに限定されない。たとえば、変調部１５３は、ターボ符号化を行う代わりに畳み込み符号化を行うことによってパケットデータを符号化する構成を有しても良い。
【０１２９】
このように、実施の形態３によれば、１回目の送信時に決定されるＨＳ−ＰＤＳＣＨのビット数に基づいて１回目の再送時に必要なＨＳ−ＰＤＳＣＨのビット数を計算して、計算されたＨＳ−ＰＤＳＣＨのビット数に基づいて拡散コード数および変調方式を変更することによって１回目の再送時にＨＳ−ＰＤＳＣＨのビット数を変更するため、１回目の送信および１回目の再送で複数の符号化ビットの全てを送信先装置に送信することによってパケットデータの再送回数を低減することができるから、スループットを向上することができる。
【０１３０】
なお、実施の形態３において、本発明の無線送信装置を基地局装置８００に適用し、かつ、無線受信装置を通信端末装置２００に適用することによって下り回線のパケット伝送において上記の作用効果を得ているが、本発明の無線送信装置を通信端末装置２００に適用し、かつ、無線受信装置を基地局装置８００に適用することによって上り回線のパケット伝送においても上記と同様の作用効果を得ることができる。
【０１３１】
また、実施の形態３において、前記物理チャネルビット数計算部は、基地局装置８００に具備されているが、送信先装置が前記物理チャネルビット数計算部を具備する場合も同様の作用効果を得ることができる。
【０１３２】
（実施の形態４）
図１１は、本発明の実施の形態４に係る基地局装置の構成を示すブロック図である。なお、実施の形態４に係る基地局装置は、実施の形態１に係る基地局装置と同様の基本的構成を有しており、同一の構成要素には同一の参照符号を付し、その説明を省略する。図１１に示す基地局装置１１００は、図１に示す基地局装置１００におけるスケジューラ１５１の代わりにスケジューラ１１０１を具備して成るものである。基地局装置１１００と無線通信を行う通信端末装置の構成は、図２に示すとおりである。
【０１３３】
スケジューラ１１０１は、パケット伝送用制御信号、各通信端末装置からのＣＱＩ信号、ＡＣＫ／ＮＡＣＫ信号に基づいてパケットを送信する送信先装置を決定し、送信先装置および送信するパケットデータを示す情報をバッファ（Ｑｕｅｕｅ）１５２に出力する。また、スケジューラ１１０１は、送信先装置のＣＱＩ信号に基づいて変調方式、誤り訂正符号化方式（パンクチャリングを含む）および拡散コード数を決定し、変調部１５３に指示する。また、スケジューラ１１０１は、送信先装置からのＡＣＫ／ＮＡＣＫ信号およびＣＱＩ信号に基づいてパケットデータの送信電力を決定し、送信電力を示す信号を送信電力制御部１５４に出力する。また、スケジューラ１１０１は、ＨＳ−ＳＣＣＨによって送信先装置に送信するＨＳ−ＳＣＣＨ用信号を増幅部１６１に出力する。ＨＳ−ＳＣＣＨ用信号には、パケットデータを送信するタイミング、パケットデータの符号化率および変調方式等を示す情報（ＴＦＲＩ）が含まれる。
【０１３４】
スケジューラ１１０１の内部構成は、図１２に示すとおりである。なお、図１２に示すスケジューラ１１０１は、図３に示すスケジューラ１５１と同様の基本的構成を有しており、同一の構成要素には同一の参照符号を付し、その説明を省略する。スケジューラ１１０１は、スケジューラ１５１におけるＭＣＳ決定部３０２の代わりにＭＣＳ決定部１２０１を具備して成るものである。
【０１３５】
ＭＣＳ決定部１２０１は、パケットデータの１回目の送信時にＣＱＩ補正部３０３からのＣＱＩ信号に基づいてＭＣＳ選択を行い、変調部１５３に指示すると共にＨＳ−ＳＣＣＨ用信号生成部３０５および物理チャネルビット数記憶部３０６に出力する。また、ＭＣＳ決定部１２０１は、パケットデータの再送時に物理チャネルビット数算出部３０７からのＨＳ−ＰＤＳＣＨのビット数に基づいて再度ＭＣＳ選択を行い、変調部１５３に指示すると共にＨＳ−ＳＣＣＨ用信号生成部３０５および物理チャネルビット数記憶部３０６に出力する。パケットデータの再送時のＭＣＳ選択において、ＭＣＳ決定部１２０１は、１回目の送信時に決定された変調方式、誤り訂正符号化方式（パンクチャリングを含む）および拡散コード数のうち変調方式を変更する。ここで、ＭＣＳ決定部１２０１によってＭＣＳ選択が行われる時に、送信または再送されるパケットデータのＨＳ−ＰＤＳＣＨのビット数が設定される。したがって、ＭＣＳ決定部１２０１は、送信先装置から送信されるＣＱＩ信号に基づいてパケットデータの１回目の送信時にＨＳ−ＰＤＳＣＨのビット数を決定する物理チャネルビット数決定部としての動作を実行し、かつ、物理チャネルビット数算出部３０７からのＨＳ−ＰＤＳＣＨのビット数に基づいてパケットデータの再送時にＨＳ−ＰＤＳＣＨのビット数を変更する物理チャネルビット数変更部としての動作を実行する。
【０１３６】
次いで、上記構成を有する基地局装置１１００の動作について図１３を用いて説明する。
【０１３７】
ＭＣＳ決定部１２０１は、１回目の送信時にＣＱＩ信号に基づいて誤り訂正符号化方式（パンクチャリングを含む）、変調方式および拡散コード数を決定する。本実施の形態では、ＭＣＳ決定部１２０１は、たとえば３Ｎビットの符号化ビットのうちＮビットの情報ビット、Ｎ／４ビットのパリティビットＡおよびＮ／４ビットのパリティビットＢ（すなわち合計６Ｎ／４ビットの符号化ビット）をＱＰＳＫ変調してコード０からコード２を含む３コードにマッピングすることを決定して、変調部１５３に指示する。すなわち、１回目の送信時のＨＳ−ＰＤＳＣＨのビット数は、６Ｎ／４ビットに決定される。
【０１３８】
そして、物理チャネルビット数記憶部３０６は、１回目の送信時のＨＳ−ＰＤＳＣＨのビット数６Ｎ／４を一時的に記憶する。
【０１３９】
変調部１５３は、ＭＣＳ決定部１２０１からの指示に従って、３Ｎビットの符号化ビットの一部としてＮビットの情報ビット、Ｎ／４ビットのパリティビットＡおよびＮ／４ビットのパリティビットＢを抽出して６Ｎ／４ビットの符号化ビットをＱＰＳＫ変調してコード０からコード２を含む３コードにマッピングする。そして、マッピングされた６Ｎ／４ビットの符号化ビットが１回目の送信時に送信される。
【０１４０】
そして、１回目の送信後に送信先装置から受信された信号がＮＡＣＫ信号である場合（すなわち送信先装置から１回目の再送要求を受けた場合）、物理チャネルビット数算出部３０７は、物理チャネルビット数記憶部３０６に記憶されたビット数６Ｎ／４に基づいて１回目の送信および１回目の再送で３Ｎビットの符号化ビットの全てが送信されるために再送時に必要なＨＳ−ＰＤＳＣＨのビット数を算出する。ここでは、１回目の再送時に必要なＨＳ−ＰＤＳＣＨのビット数は、３Ｎ−６Ｎ／４＝６Ｎ／４である。そして、物理チャネルビット数算出部３０７は、算出されたビット数６Ｎ／４をＭＣＳ決定部１２０１に出力する。
【０１４１】
ＭＣＳ決定部１２０１は、物理チャネルビット数算出部３０７から出力されたビット数６Ｎ／４に基づいて、Ｎビットの情報ビットに加えて３Ｎ／４ビットのパリティビットＡおよび３Ｎ／４ビットのパリティビットＢ（すなわち合計１０Ｎ／４ビットの符号化ビット）をＱＰＳＫ変調して５コードにマッピングすることを決定して、変調部１５３に指示する。すなわち、１回目の再送時のＨＳ−ＰＤＳＣＨのビット数は、１０Ｎ／４ビットに変更される。
【０１４２】
変調部１５３は、ＭＣＳ決定部１２０１からの指示に従って、１回目の送信時に送信されなかった３Ｎ／４ビットのパリティビットＡおよび３Ｎ／４ビットのパリティビットＢならびにＮビットの情報ビットを抽出して１０Ｎ／４ビットの符号化ビットをＱＰＳＫ変調してコード０からコード４を含む５コードにマッピングする。そして、１回目の再送時に、マッピングされた１０Ｎ／４ビットの符号化ビットが送信される。このようにして１回目の送信および１回目の再送を含む２回の送信で３Ｎビットの符号化ビットの全てを送信先装置に送信することができると共にＮビットの情報ビットを送信先装置に繰り返し送信することができる。
【０１４３】
このように、実施の形態４によれば、１回目の送信時に決定されるＨＳ−ＰＤＳＣＨのビット数に基づいて１回目の再送時に必要なＨＳ−ＰＤＳＣＨのビット数を計算して、計算されたＨＳ−ＰＤＳＣＨのビット数に基づいて拡散コード数を変更することによって１回目の再送時にＨＳ−ＰＤＳＣＨのビット数を変更するため、１回目の送信および１回目の再送で複数の符号化ビットの全てを送信先装置に送信することによってパケットデータの再送回数を低減することができるから、スループットを向上することができる。また、１回目の再送時に情報ビットを繰り返し送信するため、送信先装置が基地局装置からの１回目の送信時のＨＳ−ＳＣＣＨ受信を失敗しても１回目の再送時に情報ビットを受信することができるから、送信先装置における受信信号の復号を確実に行うことができる。
【０１４４】
なお、実施の形態４において、本発明の無線送信装置を基地局装置１１００に適用し、かつ、無線受信装置を通信端末装置２００に適用することによって下り回線のパケット伝送において上記の作用効果を得ているが、本発明の無線送信装置を通信端末装置２００に適用し、かつ、無線受信装置を基地局装置１１００に適用することによって上り回線のパケット伝送においても上記と同様の作用効果を得ることができる。
【０１４５】
また、実施の形態４において、前記物理チャネルビット数計算部は、基地局装置１１００に具備されているが、送信先装置が前記物理チャネルビット数計算部を具備する場合も同様の作用効果を得ることができる。
【０１４６】
【発明の効果】
以上説明したように、本発明によれば、１回目の送信時に決定されるパケットデータの物理チャネルのビット数に基づいて１回目の送信および１回目の再送で全ての符号化ビットが送信されるように１回目の再送時にパケットデータの物理チャネルのビット数を変更するため、スループットを向上することができる。
【図面の簡単な説明】
【図１】本発明の実施の形態１に係る基地局装置の構成を示すブロック図
【図２】本発明の実施の形態１に係る基地局装置と無線通信を行う通信端末装置の構成を示すブロック図
【図３】本発明の実施の形態１に係る基地局装置のスケジューラの内部構成を示すブロック図
【図４】本発明の実施の形態１に係る基地局装置の動作を説明するための図
【図５】本発明の実施の形態２に係る基地局装置の構成を示すブロック図
【図６】本発明の実施の形態２に係る基地局装置のスケジューラの内部構成を示すブロック図
【図７】本発明の実施の形態２に係る基地局装置の動作を説明するための図
【図８】本発明の実施の形態３に係る基地局装置の構成を示すブロック図
【図９】本発明の実施の形態３に係る基地局装置のスケジューラの内部構成を示すブロック図
【図１０】本発明の実施の形態３に係る基地局装置の動作を説明するための図
【図１１】本発明の実施の形態４に係る基地局装置の構成を示すブロック図
【図１２】本発明の実施の形態４に係る基地局装置のスケジューラの内部構成を示すブロック図
【図１３】本発明の実施の形態４に係る基地局装置の動作を説明するための図
【図１４】従来の基地局装置の動作の一例を説明するための図
【符号の説明】
１００、５００、８００、１１００  基地局装置
１５１、５０１、８０１、１１０１  スケジューラ
１５２  バッファ
１５３  変調部
１５４  送信電力制御部
１５５  増幅部
１６５  多重部
１６６  送信ＲＦ部
３０１  送信先決定部
３０２、６０１、９０１、１２０１  ＭＣＳ決定部
３０３  ＣＱＩ補正部
３０４  送信電力決定部
３０５  ＨＳ−ＳＣＣＨ用信号生成部
３０６  物理チャネルビット数記憶部
３０７  物理チャネルビット数算出部
【図１】
2004172981.tif 000003
【図２】
2004172981.tif 000004
【図３】
2004172981.tif 000005
【図４】
2004172981.tif 000006
【図５】
2004172981.tif 000007
【図６】
2004172981.tif 000008
【図７】
2004172981.tif 000009
【図８】
2004172981.tif 000010
【図９】
2004172981.tif 000011
【図１０】
2004172981.tif 000012
【図１１】
2004172981.tif 000013
【図１２】
2004172981.tif 000014
【図１３】
2004172981.tif 000015
【図１４】
2004172981.tif 000016